(57)【要約】【課題】ドア側の磁石に仮止め機構、および所望によりロック機構が設けられた戸当りであって、磁石などがドアの表面に突出しないでドア内部に収納することができる戸当りを提供する。【解決手段】（ａ）床面に固定された台座と、（ｂ）磁性体からなり、台座に上下に揺動自在に取り付けられたプレートと、（ｃ）ドアに固定された磁石と、（ｄ）磁石に取り付けられ、プレートと係合するフックと、（ｅ）フックをプレートと係合する方向へ付勢する付勢手段と、（ｆ）フックをプレートと係合した位置でロックするための水平方向へスライド可能な水平スライド部材と、（ｇ）水平スライド部材を外部から操作するための操作部とからなる。前記フック、前記付勢手段および前記水平スライド部材が、前記磁石と組み合され、当該組み合された磁石および前記操作部が、前記ドア内部に収納され得るように、前記ドアの厚さよりも薄くなるように設定されてなる戸当り。【選択図】        図１
2005009151.tif 000002
【特許請求の範囲】
【請求項１】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段とからなり、
前記フックおよび前記付勢手段が、前記磁石と組み合され、当該組み合された磁石が、前記ドア内部に収納され得るように、前記ドアの厚さよりも薄くなるように設定されてなる戸当り。
【請求項２】
（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための水平方向へスライド可能な水平スライド部材と、
（ｇ）前記水平スライド部材を外部から操作するための操作部とからなり、
前記フック、前記付勢手段および前記水平スライド部材が、前記磁石と組み合され、当該組み合された磁石および前記操作部が、前記ドア内部に収納され得るように、前記ドアの厚さよりも薄くなるように設定されてなる戸当り。
【請求項３】
前記水平スライド部材には、少なくとも１個の凸部が設けられ、前記フックの上部には、前記凸部の通過を許すための水平方向に延びる水平通路が形成され、
▲１▼前記フックが前記プレートに係合していない状態では、前記フックの水平通路が前記水平スライド部材の凸部よりも高い位置にあることにより、前記水平スライド部材の水平移動および前記操作部の操作を禁止し、
▲２▼前記フックが前記プレートと係合するときに、前記フックが下降して、前記フックの水平通路が前記水平スライド部材の凸部とほぼ同じ高さになることにより、前記水平スライド部材がスライド可能の状態になり、
▲３▼前記水平スライド部材がスライド可能な状態において、前記操作部を外部から操作して、前記水平スライド部材の凸部を前記フックの水平通路内部へ移動させることにより、前記フックを前記プレートと係合した位置でロックするようにされてなる請求項２記載の戸当り。
【請求項４】
前記水平スライド部材の凸部が、前記フックの水平通路の両側に一対設けられてなる請求項２記載の戸当り。
【請求項５】
前記操作部が、前記水平スライド部材を水平方向へ押圧するための操作ロッドと、
舌片が突設され、前記操作ロッドを伸長させるために押し操作されるロックボタンと、
前記ロックボタンに前記押し操作の方向と反対方向へ付勢力を与えるロックボタン付勢手段と、
前記操作ロッドに前記押し操作の方向と反対方向へ付勢力を与える操作ロッド付勢手段と、
前記ロックボタンが所定のロック位置まで押されたときに当該ロックボタンの舌片に係合する爪が設けられた、スライド可能なスライドプレートと、
該スライドプレートを前記爪が舌片に係合する方向へ付勢力を与えるスライドプレート付勢手段と、
前記スライドプレートに前記爪が舌片との係合を解除させるために押し操作されるロック解除ボタンと、
前記ロック解除ボタンに前記押し操作と反対方向へ付勢力を与えるロック解除ボタン付勢手段
とからなる請求項２記載の戸当り。
【発明の詳細な説明】
【０００１】
【発明の属する技術分野】
本発明は戸当りに関する。さらに詳しくは、ドア側の磁石と床面に揺動自在に設置された磁性体からなるプレートとを吸着させることにより、ドアを全開位置に固定することができ、さらに磁石に吸着されたプレートを仮止め、および所望により強固なロックを行なうことができる戸当りであって、磁石がドアの表面に突出しないでドア内部に収納することができる戸当りに関する。
【０００２】
【従来の技術】
一般的に用いられる床に立設される戸当りは、歩行者がつまづいたり、ドア周囲の家具が衝突するなどの不具合がある。そのため、従来より、床から出没自在の戸当りが種々検討されており、たとえば磁石を用いた出没自在の戸当りなどがある。このような磁石を用いた戸当りは、たとえば特許文献１および２に記載されているように、床面に揺動自在に設置された磁性体プレートを、ドア側の磁石に吸着させることによりドアを全開位置に固定している。
【０００３】
また、本出願人は、さきに出願した特願２００２−１８３０３８号の明細書に記載されているように、ドア側の磁石に吸着されたプレートをさらに仮止めおよび強固なロックを両方行なうことができる戸当りを提案している。
【０００４】
【特許文献１】
特許第２９９０６０１号公報
【特許文献２】
特開平１０−１１５１３９号公報
【０００５】
【発明が解決しようとする課題】
しかし、従来の磁石を用いた戸当りは、磁石がドアの表面に突出するため、美観上好ましくないという問題がある。とくに、磁石に仮止め機構およびロック機構を設けた場合、磁石全体がさらに大きくなるため、磁石が一層目立ってしまい美観上好ましくない。
【０００６】
本発明はかかる問題を解消するためになされたものであり、ドア側の磁石に仮止め機構、および所望によりロック機構が設けられた戸当りであって、磁石などがドアの表面に突出しないでドア内部に収納することができる戸当りを提供することを目的とする。
【０００７】
【課題を解決するための手段】
本発明の請求項１にかかわる戸当りは、（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段とからなり、
前記フックおよび前記付勢手段が、前記磁石と組み合され、当該組み合された磁石が、前記ドア内部に収納され得るように、前記ドアの厚さよりも薄くなるように設定されてなることを特徴とする。
【０００８】
本発明の請求項２にかかわる戸当りは、（ａ）床面に固定された台座と、
（ｂ）磁性体からなり、前記台座に上下に揺動自在に取り付けられたプレートと、
（ｃ）ドアに固定された磁石と、
（ｄ）前記磁石に取り付けられ、前記プレートと係合するフックと、
（ｅ）前記フックを前記プレートと係合する方向へ付勢する付勢手段と、
（ｆ）前記フックを前記プレートと係合した位置でロックするための水平方向へスライド可能な水平スライド部材と、
（ｇ）前記水平スライド部材を外部から操作するための操作部とからなり、
前記フック、前記付勢手段および前記水平スライド部材が、前記磁石と組み合され、当該組み合された磁石および前記操作部が、前記ドア内部に収納され得るように、前記ドアの厚さよりも薄くなるように設定されてなることを特徴とする。
【０００９】
前記水平スライド部材には、少なくとも１個の凸部が設けられ、前記フックの上部には、前記凸部の通過を許すための水平方向に延びる水平通路が形成され、
▲１▼前記フックが前記プレートに係合していない状態では、前記フックの水平通路が前記水平スライド部材の凸部よりも高い位置にあることにより、前記水平スライド部材の水平移動および前記操作部の操作を禁止し、
▲２▼前記フックが前記プレートと係合するときに、前記フックが下降して、前記フックの水平通路が前記水平スライド部材の凸部とほぼ同じ高さになることにより、前記水平スライド部材がスライド可能の状態になり、
▲３▼前記水平スライド部材がスライド可能な状態において、前記操作部を外部から操作して、前記水平スライド部材の凸部を前記フックの水平通路内部へ移動させることにより、前記フックを前記プレートと係合した位置でロックするようにされてなるのが好ましい。
【００１０】
前記水平スライド部材の凸部が、前記フックの水平通路の両側に一対設けられてなるのが好ましい。
【００１１】
前記操作部が、前記水平スライド部材を水平方向へ押圧するための操作ロッドと、
舌片が突設され、前記操作ロッドを伸長させるために押し操作されるロックボタンと、
前記ロックボタンに前記押し操作の方向と反対方向へ付勢力を与えるロックボタン付勢手段と、
前記操作ロッドに前記押し操作の方向と反対方向へ付勢力を与える操作ロッド付勢手段と、
前記ロックボタンが所定のロック位置まで押されたときに当該ロックボタンの舌片に係合する爪が設けられた、スライド可能なスライドプレートと、
該スライドプレートを前記爪が舌片に係合する方向へ付勢力を与えるスライドプレート付勢手段と、
前記スライドプレートに前記爪が舌片との係合を解除させるために押し操作されるロック解除ボタンと、
前記ロック解除ボタンに前記押し操作と反対方向へ付勢力を与えるロック解除ボタン付勢手段とからなるのが好ましい。
【００１２】
【発明の実施の形態】
つぎに図面を参照しながら本発明の戸当りを詳細に説明する。図１は本発明の戸当りの一実施の形態を示す斜視説明図、図２は図１に示される戸当り本体の断面説明図、図３は図１に示される磁石の断面説明図、図４は図３に示されるフックおよび水平スライド部材の位置関係を示す説明図、図５は図１の操作部の初期状態を示す断面説明図、図６は図１の操作部のロック状態を示す断面説明図、図７は図５の操作ロッドおよびスイングアームの斜視図、図８は図５のロックボタンおよびロック解除ボタンの断面説明図、図９は図５のスライドプレートの側面図、図１０は図５のスライドプレートの正面図、および図１１は図１に示されるプレートがフックに係合された仮止め状態を示す断面説明図である。
【００１３】
図１に示される戸当りは、大きく分けて床面に設置された本体部分１と、ドアＤに収納された磁石２および操作部３とから構成されている。
【００１４】
本体部分１は、図１および図２に示されるように、床面にネジなどで固定されたナイロン、ポリアセタールなどのエンジニアリング樹脂や亜鉛合金などからなる台座４に、鉄やスチールなどの磁性体からなるプレート５が回転軸５ａを回転中心として、揺動自在に取り付けられている。プレート５の先端には、下方に突出する下方突起５ｂが設けられている。本体部分１の設置方法は、本発明においてとくに限定されるものではなく、図１に示されるように床面に設置してもよいし、または床に形成される埋設穴に埋設してもよい。
【００１５】
磁石２および操作部３は、ドアＤに収納され得るように、ドアＤの厚さよりも薄くなるように設定されている。
【００１６】
磁石２は、図３に示されるように、ケーシング６に、磁石本体７、プレート５と係合するフック８、当該フック８をプレート５と係合する方向へ付勢する圧縮コイルバネ９、フック８をプレート５と係合した位置でロックするための水平スライド部材１０が組み合わされている。
【００１７】
磁石本体７は永久磁石からなり、ケーシング６内部に収容されており、当該ケーシング６の壁を介して前記プレート５に磁力をおよぼすように構成されている。
【００１８】
フック８は、図２に示されるように、前記プレート５の先端の下方突起５ｂと係合し得る上向きに突出したかぎ部８ａを有している。フック８の中央部には、圧縮コイルバネ９の上端に係合する係合突起８ｂが突設されている。また、フック８の前面において、係合突起８ｂの上部には、水平方向（フック８の幅方向。図３において、紙面垂直方向）に延びる水平通路８ｃが形成されている。
【００１９】
フック８を用いてプレート５を仮止めすることにより、磁石２の吸着力の強弱にかかわらず容易かつ確実にドアＤの仮止めが可能になる。このフック８によりプレート５が磁石２に吸着された状態では、フック８は圧縮コイルバネ９の付勢力に抗して下方に移動し得るので、前記プレート５は引き抜き可能な程度の弱い係止力で一時的に磁石に係止される。
【００２０】
水平スライド部材１０は、磁石２のケーシング６に形成された凹部６ｂにスライド可能に収容されている。水平スライド部材１０は、少なくとも１個の凸部１１が設けられている。凸部１１は、前記フック８の水平通路８ｃ内部に移動することにより、フック８をプレート５に係合した状態から下降できないようにロックすることができる。
【００２１】
具体的には、図４（ａ）に示されるように、フック８が前記プレート５に係合していない状態では、フック８の水平通路８ｃが水平スライド部材１０の凸部１１よりも高い位置にあることにより、水平スライド部材１０の水平移動および前記操作部３の操作を禁止する。このとき、水平通路８ｃの中心の高さが、凸部１１の中心の高さよりも少しだけ高ければよく、水平通路８ｃの全体が凸部１１よりも高くなくてもよい。
【００２２】
ついで、図４（ｂ）に示されるように、フック８がプレート５と係合するときに（図１１参照）、フック８が下降して、フック８の水平通路８ｃが水平スライド部材１０の凸部１１とほぼ同じ高さになることにより、水平スライド部材１０がスライド可能の状態になる。
【００２３】
前記水平スライド部材１０がスライド可能な状態において、図４（ｃ）に示されるように、後述する操作部３を外部から操作して操作ロッド１９によって水平スライド部材１０を水平方向に押圧することにより、水平スライド部材１０の凸部１１をフック８の水平通路８ｃ内部へ移動させることができる。それにより、前記フック８を前記プレート５と係合した位置でロックすることができる。
【００２４】
本発明の戸当りは、フック８がドアの仮止めおよび強固なロックの両方を行なうので、従来のように仮止め機構およびロック機構を別々に設ける必要がなく、装置全体を小型化することが可能である。
【００２５】
さらに、本実施の形態では、図３に示されるように、水平スライド部材１０を元の位置に復帰させるための圧縮コイルバネ１２が前記ケーシング６の凹部６ｂ内部に設けられているため、水平スライド部材１０が操作ロッド１９からの操作力を受けなくなったとき、図４（ｂ）に示されるように、凸部１１が水平通路８ｃから外れた位置まで復帰させることができる。
【００２６】
本実施の形態では、図１に示されるような右開きのドアＤのように磁石２の左側に操作部３が配置された例をあげて説明しているが、本発明はこれに限定されるものではなく、たとえば、磁石２の操作部３を右側に配置することにより、図示されない左開きのドアに対しても前述の右開きのドアＤと同様に用いることができる。また、本実施の形態の戸当りでは、ドアＤが左右いずれに開く場合にも対応できるように、図４に示されるように、凸部１１が水平通路８ｃの両側に一対設けられているため、操作ロッド１９で左右いずれの方向から水平スライド部材１０が押圧されても、凸部１１を水平通路８ｃ内部へ移動させてフック８をロックすることができる。したがって、図１に示されるような右開きのドアＤのように磁石２の左側に操作部３が配置される場合だけでなく、図示されない左開きのドアのように磁石２の右側に操作部３が配置される場合でも、操作部３を外部から操作することにより、フック８のロックおよび解除を行なうことができる。
【００２７】
操作部３は、外部から前記磁石２の水平スライド部材１０をロック位置（図４（ｃ）参照）へ押し操作するためのものであり、図１および図５〜６に示される操作部３では、ケーシング１５のドアＤの側面から外部に露出する外面１５ａの開口からは、ロックボタン１６およびロック解除ボタン１７が外部に突出し、ケーシング１５の内奥面側においては、裏蓋１８の貫通孔１８ａを通して操作ロッド１９が突出している。
【００２８】
具体的には、本実施の形態の操作部３は、図５〜６に示されるように、前記水平スライド部材１０を水平方向へ押圧するための操作ロッド１９と、舌片２０が突設され、操作ロッド１９を伸長させるために押し操作されるロックボタン１６と、該ロックボタン１６に前記押し操作の方向と反対方向へ付勢力を与えるロックボタン付勢手段である圧縮コイルバネ２１と、操作ロッド１９に前記押し操作の方向と反対方向へ付勢力を与える操作ロッド付勢手段であるスイングアーム２２および該スイングアーム２２に回転付勢力を与えるねじりコイルバネ２３と、ロックボタン１６が所定のロック位置まで押されたときに当該ロックボタン１６の舌片２０に係合する爪２４が設けられた、スライド可能なスライドプレート２５と、該スライドプレート２５を爪２４が舌片２０に係合する方向へ付勢力を与えるスライドプレート付勢手段である圧縮コイルバネ２６と、前記スライドプレート２５に前記爪２４が舌片２０との係合を解除させるために押し操作されるロック解除ボタン１７と、前記ロック解除ボタン１７に前記押し操作と反対方向へ付勢力を与えるロック解除ボタン付勢手段である圧縮コイルバネ２７とから構成されている。なお、スライドプレート２５には、前記操作ロッド１９を貫通させるための略矩形の貫通孔２５ａ（図５〜６参照）が形成されている。また、スイングアーム２２は、ケーシング１５の側壁に両端支持された支持軸３０に回転自在に支持され、支持軸３０に装着されたねじりコイルバネ２３によってロックボタン１６側へ押し付けられている。なお、ロックボタン１６が押し下げられているか否か、すなわちドアがロックされているか否かを視認しやすくするために、ロック解除ボタン１７の上端面１７ａ（図６参照）を赤色などで着色してもよい。
【００２９】
操作ロッド１９は、図７に示されるように、台座部１９ａの溝１９ｂにスイングアーム２２の先端部２２ａが係合することにより、スイングアーム２２の揺動にともなって操作ロッド１９は、図７において上下に往復移動することができる。なお、先端部２２ａと溝１９ｂとの係合は、溝１９ｂに円周面を有しているため、操作ロッド１９の上下動を妨げるものではない。また、操作ロッド１９の台座部１９ａは、ロックボタン１６の凹部１６ａ（図８参照）に収容されている。
【００３０】
本実施の形態のスライドプレート２５では、図９〜１０に示されるように、ロックボタン１６に突設されたスチールなどからなる金属製の舌片２０に係合するための爪２４を一方の面から突設されている。爪２４の両側には、斜面２８が形成されている。このスライドプレート２５の斜面２８は、ロック解除ボタン１７に形成された斜面２９（図８参照）に面接触しているため、ロック解除ボタン１７に外部から作用される押圧力の向きをスライドプレート２５の爪２４を舌片２０から係合を解除する方向へ変換することができる。
【００３１】
つぎに、本実施の形態の戸当りの使用方法の一例を説明する。
【００３２】
図１および図４（ａ）に示される初期状態、すなわちフック８がプレート５に係合していない状態では、フック８の水平通路８ｃが水平スライド部材１０の凸部１１よりも高い位置にあることにより、水平スライド部材１０の水平移動および前記操作部３の操作を禁止している。これにより、プレート５が磁石２に吸着される前に操作部３の誤動作（具体的には、水平スライド部材１０によってフック８を誤ってロックすること）を確実に防止することができる。
【００３３】
ついで、図１１に示されるように、ドアＤを仮止めする場合には、図１の状態からそのままドアＤを開ければ、床に伏せてあったプレート５が、磁石２内の磁石本体７の磁力によって立ち上がり、磁石２の下面に吸着する。それとともに、プレート５の先端に設けられた下方突起５ｂがフック８のかぎ部８ａに係合することにより、容易かつ確実にドアＤの仮止めを行なうことができる。したがって、荷物の搬入を行なう場合など、一時的にドアＤを全開位置に保持したいときに便利である。
【００３４】
また、図１１に示される状態では、フック８が若干下方に移動するため、フック８の水平通路８ｃが水平スライド部材１０の凸部１１とほぼ同じ高さになることにより、水平スライド部材１０がスライド可能の状態になる。
【００３５】
ドアＤの仮止めを解除するときは、図１１の状態からドアＤをそのまま閉じるだけで、プレート５はフック８との係合が解除されるとともに磁石２の下面から容易に抜け出し、ドアＤの仮止めは解除される。
【００３６】
なお、ドアＤがフック８によって仮止めされていなくても、ドアＤを全開位置まで開ければ、プレート５が磁石２に吸着するので、ドアＤは弱い力で全開位置に保持され、フック８よりもさらに弱い保持力でドアＤを仮止めすることができる。
【００３７】
一方、強風が吹いているときなどドアＤを強固に開放状態にロックしたいときには、図６に示されるように、ロックボタン１６を指で押せば、操作ロッド１９、およびねじりコイルバネ２３によって付勢されたスイングアーム２２がケーシング１５の内奥側へ移動する。ロックボタン１６が所定のロック位置まで押し込まれたとき、ロックボタン１６の舌片２０がスライドプレート２５の爪２４に係合することにより、ロックボタン１６、操作ロッド１９およびスイングアーム２２は所定のロック位置で停止する。
【００３８】
図６に示されるように操作ロッド１９が突出することによって、操作ロッド１９が突出し、図４（ｃ）に示されるように、操作ロッド１９によって水平スライド部材１０を水平方向に押圧することにより、水平スライド部材１０の凸部１１をフック８の水平通路８ｃ内部へ移動させ、前記フック８を前記プレート５と係合した位置で強固にロックすることができる。その結果、ドアＤは、全開位置に容易かつ確実にロックされ、ドアＤに風が当っても不意に閉まることがなくなる。
【００３９】
一方、ドアＤのロックを解除したい場合には、図６に示される状態から、ロック解除ボタン１７を指で押せば、図６、８および９に示されるように、ロック解除ボタン１７の斜面２９がスライドプレート２５の斜面２８を押圧することにより、スライドプレート２５を図６において下方へ移動させ、その結果、スライドプレート２５を爪２４と舌片２０との係合を解除することができる。それにより、操作ロッド１９は、スイングアーム２２を介するねじりコイルバネ２３の付勢力によって図５の初期位置まで戻され、フック８のロックは解除される。なお、ロックボタン１６、ロック解除ボタン１７およびスライドプレート２５も、復帰用の圧縮コイルバネ２１、２７および２６の付勢力によって、それぞれ初期位置まで戻される。
【００４０】
フック８のロック解除後は図１１に示されるドアの仮止め状態に戻るため、若干の力を加えることで容易にドアＤを閉めることができる。そして、ドアＤを閉めたとき、プレート５はフック８から引き抜かれるため、フック８は若干上方へ移動して図４（ａ）の状態に戻るため、水平スライド部材１０の水平移動ならびにロックボタン１６の操作ができなくなる。
【００４１】
以上の実施の形態では、仮止め機構およびロック機構が設けられた戸当りを例にあげて説明したが、本発明はこれに限定されるものではなく、仮止め機構のみが設けられた戸当りであってもよい。すなわち、本発明の他の実施の形態である戸当りは、（ａ）床面に固定された台座４と、（ｂ）磁性体からなり、前記台座４に上下に揺動自在に取り付けられたプレート５と、（ｃ）ドアに固定された磁石２と、（ｄ）前記磁石２に取り付けられ、前記プレート５と係合するフック８と、（ｅ）前記フック８を前記プレート５と係合する方向へ付勢する圧縮コイルバネ９とからなり、前記フック８および前記圧縮コイルバネ９が、前記磁石２と組み合され、当該組み合された磁石２が、前記ドア内部に収納され得るように、前記ドアの厚さよりも薄くなるように設定されている。このような構成によって、磁石２およびフック８などをドア内部に収納することができる。
【００４２】
【発明の効果】
本発明によれば、ドア側の磁石に仮止め機構のみ、または仮止め機構およびロック機構が設けられた戸当りであって、磁石などがドアの表面に突出しないでドア内部に収納することができる。そのため、ドア表面に飛び出た部分がなくなり、非常に見栄えがよくなるとともに、通行人や荷物が磁石などに衝突するなどの不具合もなくなる。
【図面の簡単な説明】
【図１】本発明の戸当りの一実施の形態を示す斜視説明図である。
【図２】図１に示される戸当り本体の断面説明図である。
【図３】図１に示される磁石の断面説明図である。
【図４】図３に示されるフックおよび水平スライド部材の位置関係を示す説明図である。
【図５】図１の操作部の初期状態を示す断面説明図である。
【図６】図１の操作部のロック状態を示す断面説明図である。
【図７】図５の操作ロッドおよびスイングアームの斜視図である。
【図８】図５のロックボタンおよびロック解除ボタンの断面説明図である。
【図９】図５のスライドプレートの側面図である。
【図１０】図５のスライドプレートの正面図である。
【図１１】図１に示されるプレートがフックに係合された仮止め状態を示す断面説明図である。
【符号の説明】
１  本体部分
２  磁石
３  操作部
４  台座
５  プレート
７  磁石本体
８  フック
１０  水平スライド部材
【図１】
2005009151.tif 000003
【図２】
2005009151.tif 000004
【図３】
2005009151.tif 000005
【図４】
2005009151.tif 000006
【図５】
2005009151.tif 000007
【図６】
2005009151.tif 000008
【図７】
2005009151.tif 000009
【図８】
2005009151.tif 000010
【図９】
2005009151.tif 000011
【図１０】
2005009151.tif 000012
【図１１】
2005009151.tif 000013